(57)【要約】【課題】左右風向板をより容易に取り外すことのできる空気調和機を提供する。【解決手段】空気調和機は、室内機（本体部）１内に配置された送風経路と、左右風向板ユニット２０とを備えている。左右風向板ユニット２０は、複数の縦ルーバ（板状部材）２２と、ベース部材２１と、連結桿（連結部材）２３とを備えている。ベース部材２１は、複数の縦ルーバ２２を支持し、室内機１に対して着脱可能に取り付けられている。連結桿２３は、ベース部材２１の長手方向に沿って延伸し、各縦ルーバ２２を、間隔を有した状態で連結している。連結桿２３には、左右風向板ユニット２０の着脱時におけるベース部材２１の把持位置に対応する位置に、ベース部材２１から離れる方向への窪み部（迂回部）３２、あるいは、室内機１の後方側への窪み部（迂回部）の少なくとも何れかが形成されている。【選択図】図７
2018179394.tif 000002
【特許請求の範囲】
【請求項１】
本体部内に配置された送風経路と、
前記送風経路内に着脱可能に取り付けられ、前記送風経路内を通過する風の向きを左右方向に変化させる左右風向板ユニットと
を備え、
前記左右風向板ユニットは、
複数の板状部材と、
前記複数の板状部材を支持し、前記本体部に対して着脱可能に取り付けられているベース部材と、
前記ベース部材の長手方向に沿って延伸し、前記複数の板状部材を、間隔を有した状態で連結している連結部材と
を有しており、
前記連結部材には、前記左右風向板ユニットの着脱時における前記ベース部材の把持位置に対応する位置に、前記ベース部材から離れる方向への迂回部、あるいは、前記本体部の後方側への迂回部の少なくとも何れかが形成されている、空気調和機。
【請求項２】
前記ベース部材には、前記本体部との接続状態を解除するための操作部が設けられており、
前記ベース部材の把持位置は、前記操作部の近傍に位置している、請求項１に記載の空気調和機。
【請求項３】
前記ベース部材の把持位置には、滑り止めが形成されている、請求項１または２に記載の空気調和機。
【請求項４】
前記ベース部材の一つの把持位置に対して、前記連結部材の前記迂回部は複数設けられており、各迂回部は、前記板状部材を間に挟んで配置されている、請求項１から３の何れか１項に記載の空気調和機。
【請求項５】
前記板状部材を間に挟んで配置された二つの前記迂回部は、間に挟まれた前記板状部材に近寄って配置されている、請求項４に記載の空気調和機。
【請求項６】
一つの前記迂回部が、少なくとも一つの前記板状部材を跨いで存在する、請求項１から３の何れか１項に記載の空気調和機。
【発明の詳細な説明】
【技術分野】
【０００１】
本発明は、空気調和機に関し、より具体的には空気調和機に備えられている風向板の構造に関する。
【背景技術】
【０００２】
空気調和機の室内機には、吹き出し口から吹き出される風の向きを上下に偏向する上下風向板（水平ルーバ、または上下風向ルーバとも呼ばれる）と、吹き出し口から吹き出される風の向きを左右に偏向する左右風向板（縦ルーバ、または左右風向ルーバとも呼ばれる）とが備えられている。
【０００３】
一般に、左右風向板は、室内側熱交換器から吹き出し口へと至る気体の送風経路の途中に設けられている。左右風向板は、主として、複数枚の板状部材と、各板状部材を連動して動作させるために各板状部材を連結する連結部材とで構成されている。各板状部材は、互いに所定の間隔を有しつつ、略平行に連結部材上に配置されている。
【０００４】
例えば、特許文献１には、ルーバーベース１６と、複数の縦ルーバー１７と、風向設定部１９とを備えている縦ルーバーユニット１５が開示されている。ルーバーベース１６は、通風路１３の上面壁に直接、着脱自在に取り付けられる。縦ルーバー１７は、ルーバーベース１６に所定間隔を存して回動自在に枢支され、風の左右方向の向きを変更する。風向設定部１９は、複数の縦ルーバー１７を、それぞれヒンジ１８を介して一体に連結し、各縦ルーバー１７を一斉に同一方向に回動変位する。
【先行技術文献】
【特許文献】
【０００５】
【特許文献１】特許第３３０６２５０号公報
【発明の概要】
【発明が解決しようとする課題】
【０００６】
ところで、空気調和機を長期間使用すると、室内機内を循環する気体に含まれる塵埃が静電気などの影響で送風経路内に付着する可能性がある。通常、室内機の吸込み口には、気体中に含まれる塵埃を捕捉するためのフィルタが設けられているが、フィルタによってすべての塵埃を除去することは困難である。
【０００７】
そのため、送風経路内を定期的に清掃することが望まれる。このとき、上下風向板および左右風向板に付着した塵埃も除去することが好ましい。左右風向板は、上述したように、複数の板状部材および連結部材などを有しており、より複雑な形状となっている。そのため、室内機に取り付けたままの状態で、左右風向板を清掃することには困難性が伴う。
【０００８】
そのため、特許文献１に開示される縦ルーバーユニット１５では、ルーバーベース１６が通風路１３の上面壁に着脱自在に取り付けられており、室内機のユニット本体１から取り外すことができるように構成されている。これにより、縦ルーバーユニット１５の清掃時の作業性が向上する。また、縦ルーバーユニット１５が着脱可能となることで、送風経路内やファンなどの清掃もより容易に行うことができる。
【０００９】
しかしながら、引用文献１に開示されている縦ルーバーユニットの構成では、ユニットの取り外し時の作業が困難となる可能性がある。すなわち、縦ルーバーユニット１５では、風向設定部１９よりも奥の位置で、ルーバーベース１６が通風路１３の上面壁に取り付けられている。そのため、作業者がルーバーベース１６に手を載置する際に、風向設定部１９が障壁となって、取り外し作業をしやすい位置に指を置くことが困難になる。
【００１０】
そこで、本発明では、左右風向板をより容易に取り外すことのできる空気調和機を提供することを目的とする。
【課題を解決するための手段】
【００１１】
本発明の一局面にかかる空気調和機は、本体部内に配置された送風経路と、前記送風経路内に着脱可能に取り付けられ、前記送風経路内を通過する風の向きを左右方向に変化させる左右風向板ユニットとを備えている。前記左右風向板ユニットは、複数の板状部材と、前記複数の板状部材を支持し、前記本体部に対して着脱可能に取り付けられているベース部材と、前記ベース部材の長手方向に沿って延伸し、前記複数の板状部材を、間隔を有した状態で連結している連結部材とを有している。そして、前記連結部材には、前記左右風向板ユニットの着脱時における前記ベース部材の把持位置に対応する位置に、前記ベース部材から離れる方向への迂回部、あるいは、前記本体部の後方側への迂回部の少なくとも何れかが形成されている。
【発明の効果】
【００１２】
本発明の一局面にかかる空気調和機によれば、左右風向板をより容易に取り外すことができる。
【図面の簡単な説明】
【００１３】
【図１】本発明の一実施形態にかかる空気調和機の室内機の外観を示す斜視図である。
【図２】図１に示す室内機のフラップを開けた状態を示す斜視図である。図２には、第１の実施形態にかかる室内機に備えらえた左右風向板ユニットを示す。
【図３】図２に示す室内機から左右風向板ユニットを取り外した状態を示す斜視図である。
【図４】図１に示す室内機に取り付けられた左右風向板ユニットを下方から見た状態を示す斜視図である。
【図５】左右風向板ユニットを正面側から見た状態を示す斜視図である。
【図６】左右風向板ユニットを下方から見た状態を示す斜視図である。
【図７】室内機から左右風向板ユニットを取り外す様子を示す図である。
【図８】室内機から左右風向板ユニットを取り外す様子を示す図である。
【図９】本発明の第２の実施形態にかかる室内機に備えらえた左右風向板ユニットの一部分を示す斜視図である。
【図１０】本発明の第３の実施形態にかかる左右風向板ユニットを正面側から見た状態を示す斜視図である。
【図１１】図１０に示す左右風向板ユニットを下方から見た状態を示す斜視図である。
【図１２】本発明の第４の実施形態にかかる室内機に備えらえた左右風向板ユニットを正面側から見た状態を示す斜視図である。
【図１３】本発明の第５の実施形態にかかる室内機に備えらえた左右風向板ユニットの一部分を示す斜視図である。
【図１４】本発明の第６の実施形態にかかる室内機に備えらえた左右風向板ユニットの一部分を示す斜視図である。
【図１５】本発明の第７の実施形態にかかる左右風向板ユニットを下方から見た状態を示す斜視図である。
【発明を実施するための形態】
【００１４】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１５】
〔第１の実施形態〕
＜空気調和機の全体構成＞
先ず、本実施の形態にかかる空気調和機の全体構成について説明する。本実施の形態にかかる空気調和機は、セパレート式の空気調和機であって、主として、室内機（本体部）１と室外機（図示せず）とから構成されている。図１は、本実施の形態に係る空気調和機の室内機１の外観構成を示す。図２には、室内機１のフラップ１５を開けた状態を示す。図２では、フラップ１５の図示は省略している。
【００１６】
室外機には、圧縮機、室外側熱交換器、四方弁、膨張弁などが備えられている。これらと室内機１側に備えられた室内側熱交換器（図示せず）とによって冷凍サイクルが構成される。また、室外機には室外ファンが備えられている。
【００１７】
次に、室内機１の外観の構成について、図１および図２を用いて説明する。図１に示すように、室内機１は、略直方体状の形状を有しており、通常、部屋の壁の上部に掛けられて使用される。上述したように、室内機１内には室内側熱交換器が備えられている。この室内側熱交換器は、冷媒配管（図示せず）を介して室外機側の圧縮機などと接続されている。これにより、この室内機１と室外機とは、冷凍サイクルを構成し、その結果、空気調和機として機能する。
【００１８】
図１に示すように、室内機１は、筐体１０で外形が形成される。筐体１０は、略直方体状の樹脂成形品である。図１に示すように、筐体１０は、主として、前面パネル１１、本体パネル１２、背面パネル１３、およびフラップ１５で構成されている。
【００１９】
なお、説明の便宜上、前面パネル１１が配置されている側を室内機１の前面側とし、背面パネル１３が配置されている側を室内機１の背面側とする。そして、室内機１の前面側から背面側、または背面側から前面側へ向かう方向のことを、前後方向という。また、室内機１の通常の設置状態において、上方から下方または下方から上方へ向かう方向のことを、上下方向または鉛直方向という。また、この上下方向と交差または直交する方向のことを、水平方向または左右方向という。
【００２０】
また、左右風向板ユニット２０に関して、左右方向（または、右側、左側）、前後方向（または、前方側、後方側）、あるいは上下方向（または、上側、下側）というときには、左右風向板ユニット２０を室内機１に取り付けた状態での各方向に相当する方向を意味するものとする。
【００２１】
前面パネル１１は、筐体１０の前面（正面）に位置する。前面パネル１１は、本体パネル１２に対して開閉可能に取り付けられている。通常、前面パネル１１を開けると、フィルタ（図示せず）が前面部に現れる。フィルタ（図示せず）は、本体パネル１２の上面に設けられた吸込み口１４の下方に設けられている。フィルタは、吸込み口１４から室内機１の内部に取り込まれる空気に含まれる埃や塵を捕捉する。フィルタの背面側には、室内側熱交換器およびクロスフローファンなどが配置されている。
【００２２】
図２には、主に運転状態の室内機１を示す。筐体１０内の下部には、吸込み口１４から吸い込んだ気体を送出する送風経路が形成されている。そして、送風経路を通過した風（気体）は、吹き出し口１６から室内へ送出される。吹き出し口１６には、フラップ１５が開閉可能に設けられている。図２ではフラップ１５の図示を省略しているが、空調運転時の室内機１では、フラップ１５は開状態となっている。
【００２３】
フラップ１５には、駆動モータ（図示せず）が連結されている。駆動モータは、電気配線を介しての電装基板（図示せず）に通信接続されており、空気調和機の運転中、電装基板に設けられた制御部からの制御信号に従ってフラップ１５の回転角度を調節する。電装基板は、例えば、室内機１の右側面に配置された電装ボックス（図示せず）内に配置される。駆動モータは、例えばステッピングモータである。
【００２４】
フラップ１５の回転角度が調節されることで、吹き出し口１６から吹き出される風の向きを変更することができる。例えば、冷房運転時には、制御部は、フラップ１５を開け、フラップ１５が冷風を斜め上方向に導き、冷風が天井に沿って吹き出すように、フラップ１５の回動角度を調節する。また、暖房運転時には、制御部はフラップ１５を開け、フラップ１５と上下風向板４１とが協同して、前方に向かって吹き出される温風を床面方向に導くように、フラップ１５の回動角度を調節する。このように、フラップ１５および上下風向板４１の動作によって、吹き出し口１６から吹き出される風の向きが上下方向に変更される。
【００２５】
また、図２に示すように、吹き出し口１６には、上下風向板４１および左右風向板ユニット２０が備えられている。上述したように、上下風向板４１は、吹き出し口１６から吹き出す風の向きを上下に偏向する。左右風向板ユニット２０は、吹き出し口１６から吹き出す風の向きを左右に偏向する。本実施形態では、上下風向板４１が上方に位置している状態において、上下風向板４１よりも下方で背面側に左右風向板ユニット２０が配置されている。しかし、上下風向板４１および左右風向板ユニット２０の配置位置は、これに限定はされない。
【００２６】
上下風向板４１は、室内機１の本体部分（例えば、風向板取付機構（ドレンパン）１８など）に対して、動作可能に取り付けられている。上下風向板４１は、駆動モータ（図示せず）と接続されている。駆動モータは、電気配線を介しての電装基板（図示せず）に通信接続されており、空気調和機の運転中、電装基板に設けられた制御部からの制御信号に従って上下風向板４１の上下方向の角度を調節する。駆動モータは、例えばステッピングモータである。
【００２７】
左右風向板ユニット２０も、駆動モータ（図示せず）と接続されている。駆動モータは、電気配線を介しての電装基板（図示せず）に通信接続されており、空気調和機の運転中、電装基板に設けられた制御部からの制御信号に従って左右風向板ユニット２０に備えられた縦ルーバ２２の左右方向の角度を調節する。駆動モータは、例えばステッピングモータである。左右風向板ユニット２０の詳しい構成については、後述する。
【００２８】
＜左右風向板ユニットの構成＞
続いて、左右風向板ユニット２０のより具体的な構成について、図２から図６を参照しながら説明する。
【００２９】
図３には、室内機１から左右風向板ユニット２０を取り外した状態を示す。図４には、左右風向板ユニット２０を室内機１の下方側から見た状態を示す。図５には、室内機１から取り外した状態の左右風向板ユニット２０を示す。図６には、左右風向板ユニット２０を下方側から見た状態を示す。
【００３０】
図２に示すように、左右風向板ユニット２０は、送風経路内の吹き出し口１６の近傍に配置されている。図２および３などに示すように、左右風向板ユニット２０は、吹き出し口１６に沿って左右方向に延びている。図３に示すように、左右風向板ユニット２０は、室内機１の風向板取付機構１８に対して、取り外し可能に取り付けられている。例えば、左右風向板ユニット２０の清掃時などに、左右風向板ユニット２０を室内機１から取り外すことができる。
【００３１】
左右風向板ユニット２０は、主な構成部材として、ベース部材２１、縦ルーバ（板状部材）２２、連結桿（連結部材）２３などを有している。
【００３２】
ベース部材２１は、吹き出し口１６に沿って左右方向に延びる平板状の部材であり、複数の縦ルーバ２２を支持している。ベース部材２１は、室内機１の本体部分（具体的には、風向板取付機構１８）に対して着脱可能となっている。ベース部材２１は、送風経路内の下方に取り付けられる。これにより、ベース部材２１は、送風経路の下面を形成する。
【００３３】
ベース部材２１の上面の後方側には、各縦ルーバ２２を支持するための支持部２５が設けられている。また、ベース部材２１の上面の前方側には、複数個所に凸部２７が形成されている。凸部２７は、左右風向板ユニット２０が室内機１から取り外される際に、作業者の指が置かれる位置に形成されている。これにより、凸部２７は、滑り止めとして機能する。
【００３４】
凸部２７は、隣接する縦ルーバ２２の間に形成されている。本実施形態では、凸部２７は、左右方向に延びる線状の形状を有し、ベース部材２１の上面上に前後方向に所定の間隔で複数個設けられている。ベース部材２１の上面からの凸部２７の高さは、１ｍｍ以下とすることが好ましく、０．５ｍｍ程度とすることがより好ましい。
【００３５】
凸部２７が設けられていることにより、作業者が左右風向板ユニット２０を取り外す際などに、ベース部材２１の上面に載置される手指が滑ることが抑えられ、より確実に左右風向板ユニット２０を把持することができる。また、凸部２７の高さが１ｍｍ以下であることにより、凸部２７が、送風経路の下面付近を通過する気体の大きな抵抗となることが抑えられ、空気調和機の送風性能に大きな支障を与えることが抑えられる。
【００３６】
ベース部材２１の上面の右側端部には、駆動力伝達部２９が設けられている（図５参照）。駆動力伝達部２９は、その下方部分が駆動モータ（図示せず）との接続部２９ａとなっている（図６参照）。また、ベース部材２１の上面側において、駆動力伝達部２９は、連結桿２３の端部と接続されている。駆動力伝達部２９は、駆動モータと連結されることで、図５に示す両矢印Ａ方向にそれぞれ回転する。
【００３７】
また、図４などに示すように、ベース部材２１の下面には、風向板取付機構１８との接続機構（ロック機構）を有する接続部２６が設けられている。接続部２６は、ベース部材２１に沿うように左右方向に配置されている。接続部２６は、フラップ１５などとともに、室内機１の底面部の一部を構成する。
【００３８】
また、接続部２６には、風向板取付機構１８との接続機構（ロック機構）を解除するための操作部３１が設けられている。本実施形態では、操作部３１は、左右両側に１つずつ設けられている。
【００３９】
縦ルーバ２２は、薄い板状の部材である。縦ルーバ２２は、ベース部材２１の長手方向（室内機１の左右方向）に沿って、複数個並んで配置されている。各縦ルーバ２２は、ベース部材２１の上面に対して略垂直に立設している。また、各縦ルーバ２２は、互いに略平行な位置関係で配置されている。本実施形態では、吹き出し口１６の右側に、５枚の縦ルーバが互いに略等間隔に並んで配置されており、吹き出し口１６の左側に、５枚の縦ルーバが互いに略等間隔に並んで配置されている。但し、縦ルーバの個数は、これに限定されない。
【００４０】
各縦ルーバ２２は、ベース部材２１の上面の後方側に設けられた支持部２５によって、ベース部材２１に支持されている。なお、縦ルーバ２２は、その一部が柔軟性を有する素材で形成されている。より具体的には、縦ルーバ２２の前端側と後端側（支持部２５側）は、剛性を有しており、前端側と後端側との間の中間部が柔軟性を有している。例えば、縦ルーバ２２において、中間部の厚さを、前端側及び後端側よりも薄くする。これにより、１つの素材で、硬質部と軟質部とを有する縦ルーバ２２を形成することができる。
【００４１】
上記の構成により、縦ルーバ２２は、支持部２５を基点として、左右両方向に傾斜することができる。これにより、送風経路内を通過する風（気体）の向きを左右方向に変更することができる。
【００４２】
連結桿２３は、ベース部材２１の長手方向（室内機１の左右方向）に沿って延びる棒状の部材である。連結桿２３は、各縦ルーバ２２を、所定の間隔を有した状態で連結している。具体的には、連結桿２３は、縦ルーバ２２の前方側に位置する連結部２４において、各縦ルーバ２２と連結されている。これにより、連結桿２３の動作に連動させて各縦ルーバ２２を動作させることができる。
【００４３】
なお、連結部２４は、連結桿２３に形成された孔と、縦ルーバ２２に形成された円筒状の突起とで構成されている。すなわち、連結桿２３に形成された孔に、縦ルーバ２２の突起が挿入されて、連結部２４が構成されている。縦ルーバ２２の突起は、連結桿２３の孔内で回動することができる。そのため、連結桿２３が左右に移動すると、縦ルーバ２２は、連結桿２３に対する角度を変更させながら、その連結部２４が連結桿２３に合わせて左右に移動する。
【００４４】
すなわち、図５に示すように、駆動モータに接続された駆動力伝達部２９が、ベース部材２１を上方から見た状態で時計回りに回転すると、駆動力伝達部２９に接続された連結桿２３は、矢印Ｂ１方向に移動する。また、駆動モータに接続された駆動力伝達部２９が、ベース部材２１を上方から見た状態で反時計回りに回転すると、駆動力伝達部２９に接続された連結桿２３は、矢印Ｂ２方向に移動する。この連結桿２３の動作に連動して、各縦ルーバ２２は、支持部２５を起点として、その前方部分（すなわち、連結部２４）が左右に動く。これにより、各縦ルーバ２２の先端部が支持部２５に対して右側へ移動すると、送風経路内を通過する気体は右方向へ偏向され、各縦ルーバ２２の先端部が支持部２５に対して左側へ移動と、送風経路内を通過する気体は左方向へ偏向される。なお、ここで説明した左右の方向は、室内機１に左右風向板ユニット２０を取り付けた状態での左右方向を意味する。
【００４５】
本実施形態にかかる連結桿２３には、左右両側の端部に屈曲部（迂回部）３２が形成されている。屈曲部３２は、棒状に延伸する連結桿２３が、ベース部材２１から離れる方向へ（すなわち、上方へ）迂回するような形状を有している。屈曲部３２は、左右風向板ユニット２０の着脱時におけるベース部材２１の把持位置に対応する位置に設けられている。本実施形態では、屈曲部３２は、操作部３１と対応する位置（ベース部材２１を間に挟んで、操作部３１の上方）に設けられている（図４および図６など参照）。
【００４６】
なお、連結桿２３には、その延伸方向の中央部分にも迂回部が形成されている。この迂回部は、風向板取付機構１８の左右方向の中央部に形成された構造物を避けるためのものである。風向板取付機構１８側にこのような構造物が設けられていない場合には、連結桿２３の中央部分に迂回部が形成されていなくてもよい。
【００４７】
連結桿２３は、送風経路の下面に近い位置（吹き出し口１６のより下方側）に配置されていることが望ましい。すなわち、本実施形態の構成では、連結桿２３とベース部材２１の上面との間の距離は、できるだけ小さいことが好ましい。これにより、連結桿２３が送風経路内の気体の流れに与える影響をより低減させることができる。
【００４８】
ただし、連結桿２３がベース部材２１の上面と近接して配置されていると、左右風向板ユニット２０を取り外す際に、ベース部材２１を作業者が掴みにくいという問題が生じ得る。例えば、ベース部材２１の下面側にロック機構を解除するための操作部３１が配置されていると、作業者は、通常、親指で操作部３１を操作しつつ、ベース部材２１の上面に人差し指および中指を載置して、親指と人差し指および中指とでベース部材２１を挟み込むようにして把持する（図７参照）。
【００４９】
しかし、連結桿２３がベース部材２１の上面と近接して配置されていると、人差し指および中指をベース部材２１の上面に載置する際に、連結桿２３が障害となって、ベース部材２１のより奥の方へ指を差し込むことが困難となる。これにより、作業者がベース部材２１を挟み込む力が弱くなり、左右風向板ユニット２０の取り外し動作時の作業性が低下する。左右風向板ユニット２０の取り付け動作時にも、同様の理由で作業性が低下する可能性がある。
【００５０】
そこで、本実施形態にかかる左右風向板ユニット２０には、連結桿２３に屈曲部３２が形成されている。屈曲部３２は、ベース部材２１を間に挟んで、操作部３１の上方に相当する位置に設けられている。
【００５１】
本実施形態では、ベース部材２１上に左右方向に並んで配置されている複数の縦ルーバ２２のうち、両側の端部に配置されている縦ルーバ２２ａと、その隣に配置されている縦ルーバ２２ｂとの間に位置する連結桿２３の部分に屈曲部３２が形成されている（図５など参照）。
【００５２】
また、連結桿２３の右側の端部は、駆動力伝達部２９と連結されている。この連結桿２３の右側の端部の下方には、左右風向板ユニット２０の着脱時に作業者の右手の中指が載置される（図８参照）。そのため、本実施形態では、連結桿２３の右側の端部にも、屈曲部３２が形成されている。
【００５３】
＜左右風向板ユニットの着脱動作について＞
続いて、左右風向板ユニット２０の室内機１からの着脱動作について、図５から図８を参照しながら説明する。図７には、作業者が室内機１から左右風向板ユニット２０を取り外すときの様子を示す。図８には、作業者が室内機１から左右風向板ユニット２０を取り外した状態を示す。
【００５４】
作業者が室内機１から左右風向板ユニット２０を取り外すときには、図７に示すように、ベース部材２１を手で挟む。具体的には、人差し指を、縦ルーバ２２ａと縦ルーバ２２ｂとの間の屈曲部３２の下に載置し、中指を、縦ルーバ２２ａの外側のベース部材２１の上面上に載置する。このとき、右手の中指は、連結桿２３の右端の屈曲部３２の下に載置される。また、親指を、ベース部材２１の下にある操作部３１に添える。
【００５５】
この状態で、作業者は、自身の親指で操作部３１を内側（矢印Ｃ方向）に押す。この操作を行うことで、左右風向板ユニット２０と風向板取付機構１８とのロック機構が解除される。そして、作業者は、図８に示すように、室内機１の手前側（矢印Ｄ方向）に左右風向板ユニット２０を引き出すことで、左右風向板ユニット２０を室内機１から取り外すことができる。
【００５６】
＜第１の実施形態のまとめ＞
以上のように、本実施形態にかかる空気調和機には、室内機１の送風経路内に左右風向板ユニット２０が着脱可能に取り付けられている。そして、左右風向板ユニット２０に設けられた連結桿２３には、左右風向板ユニット２０の着脱時におけるベース部材２１の把持位置に対応する位置に、屈曲部３２が形成されている。
【００５７】
この構成によれば、作業者が左右風向板ユニット２０を取り付けたり取り外したりするときに、屈曲部３２とベース部材２１との間に指を置くことができる。そのため、左右風向板ユニット２０の着脱時に連結桿２３が作業の邪魔になることを抑え、作業性を向上させることができる。
【００５８】
また、本実施形態では、ベース部材２１の下側にロック状態を解除するための操作部３１が配置されており、ベース部材２１の上面の操作部３１と対応する位置（すなわち、上面視で操作部３１と重なる位置）に屈曲部３２が設けられている。これにより、例えば、親指で操作部３１を操作しつつ、屈曲部３２に人差し指または中指などを載置して、ベース部材２１を手前に引き出すという動作をより容易に行うことができる。したがって、左右風向板ユニット２０の着脱時の作業性をより向上させることができる。
【００５９】
また、本実施形態では、ベース部材２１の上面上に凸部２７（滑り止め部）が形成されている。凸部２７は、左右風向板ユニット２０の着脱時における把持位置、すなわち、屈曲部３２と対向する位置に形成されている。これにより、屈曲部３２に人差し指または中指などを載置して、ベース部材２１を手前に引き出すという動作を行うときに、ベース部材２１上で手指が滑ることを抑えることができる。そのため、左右風向板ユニット２０の着脱をより容易に行うことができる。
【００６０】
〔第２の実施形態〕
本発明の第２の実施形態について、図９を参照しながら説明する。図９には、第２の実施形態にかかる室内機１に備えられた左右風向板ユニット１２０および風向板取付機構１８の構成を示す。図９では、左右風向板ユニット１２０の右側端部周辺の構成を示す。なお、第２の実施形態にかかる室内機１において、左右風向板ユニット１２０以外の構成については、第１の実施形態と同様の構成が適用できる。そこで、第１の実施形態と同じ構成が適用できる構成部材については、第１の実施形態と同じ符号を付し、その説明を省略する。
【００６１】
第１の実施形態と同様に、左右風向板ユニット１２０は、室内機１の風向板取付機構１８に対して、取り外し可能（着脱可能）に取り付けられている。左右風向板ユニット１２０は、主な構成部材として、ベース部材１２１、縦ルーバ（板状部材）１２２、連結桿（連結部材）１２３などを有している。ベース部材１２１および縦ルーバ（板状部材）１２２は、第１の実施形態のベース部材２１および縦ルーバ（板状部材）２２と同様の構成を適用できる。
【００６２】
連結桿１２３は、ベース部材１２１の長手方向（室内機１の左右方向）に沿って延びる棒状の部材である。連結桿１２３は、各縦ルーバ１２２を、所定の間隔を有した状態で連結している。具体的には、連結桿１２３は、縦ルーバ１２２の前方側に位置する連結部１２４において、各縦ルーバ１２２と連結されている。これにより、連結桿１２３の動作に連動させて各縦ルーバ１２２を動作させることができる。
【００６３】
本実施形態では、ベース部材１２１上に左右方向に並んで配置されている複数の縦ルーバ１２２のうち、両側の端部に配置されている縦ルーバ１２２ａと、その隣に配置されている縦ルーバ１２２ｂとの間に位置する連結桿１２３の部分に屈曲部１３２（迂回部）が形成されている。
【００６４】
第１の実施形態では、屈曲部３２は、棒状に延伸する連結桿２３が、ベース部材２１から離れる方向へ迂回するような形状を有している。これに対して、第２の実施形態では、屈曲部１３２は、棒状に延伸する連結桿１２３が、室内機１の後方側へ迂回するような形状を有している。本実施形態では、屈曲部１３２は、湾曲した形状を有している。
【００６５】
また、第１の実施形態と同様に、連結桿１２３の右側の端部にも、屈曲部１３３が形成されている。屈曲部１３３の形状は、第１の実施形態の屈曲部３２と同様の形状である。
【００６６】
第１の実施形態と同様に、屈曲部１３２および１３３は、左右風向板ユニット１２０の着脱時におけるベース部材１２１の把持位置に対応する位置に設けられている。図示はしていないが、連結桿１２３の左側にも、縦ルーバ１２２ａと縦ルーバ１２２ｂとの間の位置に屈曲部１３２が形成されている。
【００６７】
また、第１の実施形態と同様に、屈曲部１３２は、風向板取付機構１８とのロック状態を解除するための操作部１３１と対応する位置に設けられている。
【００６８】
この構成によれば、作業者が左右風向板ユニット１２０を取り付けたり取り外したりするときに、ベース部材１２１上の屈曲部１３２の前側、あるいは、屈曲部１３３とベース部材１２１との間に指を置くことができる。そのため、左右風向板ユニット１２０の着脱時に連結桿１２３が作業の邪魔になることを抑え、作業性を向上させることができる。
【００６９】
なお、第１の実施形態と同様に、ベース部材１２１の上面上には、滑り止め用の凸部が形成されていてもよい。凸部は、左右風向板ユニット１２０の着脱時における把持位置、すなわち、屈曲部１３２および１３３と対向する位置に形成するのがよい。
【００７０】
〔第３の実施形態〕
本発明の第３の実施形態について、図１０および図１１を参照しながら説明する。図１０および図１１には、第３の実施形態にかかる室内機１に備えられた左右風向板ユニット２２０の構成を示す。図１０は、正面側の上方から左右風向板ユニット２２０を見た状態を示し、図１１は、正面側の下方から左右風向板ユニット２２０を見た状態を示す。
【００７１】
なお、第３の実施形態にかかる室内機１において、左右風向板ユニット２２０以外の構成については、第１の実施形態と同様の構成が適用できる。そこで、第１の実施形態と同じ構成が適用できる構成部材については、第１の実施形態と同じ符号を付し、その説明を省略する。
【００７２】
第１の実施形態と同様に、左右風向板ユニット２２０は、室内機１の風向板取付機構１８に対して、取り外し可能に取り付けられている。左右風向板ユニット２２０は、主な構成部材として、ベース部材２２１、縦ルーバ（板状部材）２２２、連結桿（連結部材）２２３などを有している。ベース部材２２１および縦ルーバ２２２は、第１の実施形態のベース部材２１および縦ルーバ２２と同様の構成を適用できる。
【００７３】
連結桿２２３は、ベース部材２２１の長手方向（室内機１の左右方向）に沿って延びる棒状の部材である。連結桿２２３は、各縦ルーバ２２２を、所定の間隔を有した状態で連結している。具体的には、連結桿２２３は、縦ルーバ２２２の前方側に位置する連結部２２４において、各縦ルーバ２２２と連結されている。これにより、連結桿２２３の動作に連動させて各縦ルーバ２２２を動作させることができる。
【００７４】
また、ベース部材２２１の上面の右側端部には、駆動力伝達部２２９が設けられている。駆動力伝達部２２９は、その下方部分が駆動モータ（図示せず）との接続部２２９ａとなっている（図１１参照）。また、ベース部材２２１の上面側において、駆動力伝達部２２９は、連結桿２２３の端部と接続されている。駆動力伝達部２２９は、駆動モータと連結されることで、図１０に示す両矢印Ａ方向にそれぞれ回転する。
【００７５】
また、第１の実施形態と同様に、ベース部材２２１の下面には、風向板取付機構１８との接続機構（ロック機構）を有する接続部２２６が設けられている。接続部２２６には、風向板取付機構１８とのロック機構を解除するための操作部２３１が設けられている。操作部２３１は、左右両側に１つずつ設けられている。
【００７６】
本実施形態では、ベース部材２２１上に左右方向に並んで配置されている複数の縦ルーバ２２２のうち、両側の端部に配置されている縦ルーバ２２２ａと、その隣に配置されている縦ルーバ２２２ｂとの間に位置する連結桿２２３の部分に、第１屈曲部２３２ａ（迂回部）が形成されている。また、縦ルーバ２２２ｂと、その隣に配置されている縦ルーバ２２２ｃとの間に位置する連結桿２２３の部分に、第２屈曲部２３２ｂ（迂回部）が形成されている。第１屈曲部２３２ａおよび第２屈曲部２３２ｂは、第１の実施形態の屈曲部３２と同様の形状を有している。
【００７７】
以上のように、本実施形態にかかる左右風向板ユニット２２０では、ベース部材２２１の一つの把持位置に対して、第１屈曲部２３２ａおよび第２屈曲部２３２ｂという複数の迂回部が設けられている。そして、第１屈曲部２３２ａおよび第２屈曲部２３２ｂは、縦ルーバ２２２ｂを間に挟んで配置されている。
【００７８】
この構成によれば、作業者が左右風向板ユニット２２０を取り付けたり取り外したりするときに、第１屈曲部２３２ａとベース部材２２１との間、および第２屈曲部２３２ｂとベース部材２２１との間に指を置くことができる。具体的には、第１屈曲部２３２ａとベース部材２２１との間に中指を置くことができ、第２屈曲部２３２ｂとベース部材２２１との間に人差し指を置くことができる。そのため、左右風向板ユニット２２０の着脱時に連結桿２２３が作業の邪魔になることを抑え、作業性を向上させることができる。
【００７９】
また、図１１に示すように、本実施形態では、ベース部材２２１の下側にロック状態を解除するための操作部２３１が配置されており、ベース部材２２１の上面には、操作部２３１と対応する位置に第２屈曲部２３２ｂが設けられている。これにより、例えば、親指で操作部２３１を操作しつつ、第２屈曲部２３２ｂに人差し指を載置して、ベース部材２２１を手前に引き出すという動作をより容易に行うことができる。したがって、左右風向板ユニット２２０の着脱時の作業性をより向上させることができる。
【００８０】
なお、本実施形態では、連結桿２２３の一つの把持位置に、ベース部材２２１から離れる方向へ迂回した形状を有する複数の迂回部（具体的には、第１屈曲部２３２ａおよび第２屈曲部２３２ｂ）が設けられている例について説明している。しかし、他の態様では、連結桿の一つの把持位置に、本体部の後方側へ迂回した形状を有する複数の迂回部が設けられていてもよい。例えば、第２の実施形態で説明した屈曲部１３２と同様の形状の屈曲部が、連結桿の一つの把持位置に設けられていてもよい。
【００８１】
さらに他の態様では、連結桿の一つの把持位置に、互いに異なる形状の迂回部を複数個設けることもできる。すなわち、例えば、ベース部材から離れる方向へ迂回した形状を有する迂回部（例えば、第１屈曲部２３２ａなど）と、本体部の後方側へ迂回した形状を有する迂回部（例えば、屈曲部１３２など）とを、縦ルーバを間に挟んで隣接する位置に配置することもできる。
【００８２】
なお、第１の実施形態と同様に、ベース部材２２１の上面上には、滑り止め用の凸部２２７が形成されていてもよい。凸部２２７は、左右風向板ユニット２２０の着脱時における把持位置、すなわち、第１屈曲部２３２ａおよび第２屈曲部２３２ｂと対向する位置に形成するのがよい。
【００８３】
〔第４の実施形態〕
本発明の第４の実施形態について、図１２を参照しながら説明する。図１２には、第４の実施形態にかかる左右風向板ユニット３２０の構成を示す。第４の実施形態にかかる室内機１においては、左右風向板ユニット３２０の構成のみが第１の実施形態とは異なっている。それ以外の構成については、第１の実施形態と同様の構成が適用できる。また、左右風向板ユニット３２０の構成は、第３の実施形態の左右風向板ユニット２２０の構成と類似している。そこで、以下では、第３の実施形態と異なる点を中心に説明する。
【００８４】
第１の実施形態と同様に、左右風向板ユニット３２０は、室内機１の風向板取付機構１８に対して、取り外し可能に取り付けられている。左右風向板ユニット３２０は、主な構成部材として、ベース部材３２１、縦ルーバ（板状部材）３２２、連結桿（連結部材）３２３などを有している。ベース部材３２１および縦ルーバ３２２は、第１の実施形態のベース部材２１および縦ルーバ２２と同様の構成を適用できる。
【００８５】
連結桿３２３は、第３の実施形態にかかる連結桿２２３に類似した構成を有している。すなわち、連結桿３２３は、縦ルーバ３２２の前方側に位置する連結部３２４において、各縦ルーバ３２２と連結されている。また、連結桿２２３の右側の端部は、ベース部材３２１の上面側において、駆動力伝達部３２９と接続されている。
【００８６】
また、第３の実施形態と同様に、連結桿３２３には、一つの把持位置に対して、第１屈曲部３３２ａ（迂回部）および第２屈曲部３３２ｂ（迂回部）という二つの屈曲部が形成されている。第１屈曲部３３２ａは、ベース部材２２１上に左右方向に並んで配置されている複数の縦ルーバ３２２のうち、両側の端部に配置されている縦ルーバ３２２ａと、その隣に配置されている縦ルーバ３２２ｂとの間に位置している。第２屈曲部３３２ｂは、縦ルーバ３２２ｂと、その隣に配置されている縦ルーバ３２２ｃとの間に位置している。
【００８７】
第３の実施形態では、第１屈曲部２３２ａおよび第２屈曲部２３２ｂは、隣接し合う２枚の縦ルーバ２２２の間の略中央に位置している。これに対して、本実施形態では、１つの縦ルーバ３２２ｂを間に挟んで配置された二つの屈曲部３３２ａおよび３３２ｂは、それぞれが縦ルーバ３２２ｂに近寄って配置されている。すなわち、連結桿３２３のより端部側に位置する第１屈曲部３３２ａは、縦ルーバ３２２ａと縦ルーバ３２２ｂとの間の中央位置Ｃよりも内側へ寄るように配置されている。一方、連結桿３２３のより中央側に位置する第２屈曲部３３２ｂは、縦ルーバ３２２ｂと縦ルーバ３２２ｃとの間の中央位置Ｃよりも外側へ寄るように配置されている。
【００８８】
この構成によれば、作業者が左右風向板ユニット３２０を取り付けたり取り外したりするときに、第１屈曲部３３２ａとベース部材３２１との間、および第２屈曲部３３２ｂとベース部材３２１との間に指を置くことができる。そして、第１屈曲部３３２ａと第２屈曲部３３２ｂとが互いに近接する位置に配置されていることで、左右風向板ユニット３２０の着脱時に各屈曲部３３２ａおよび３３２ｂの下に載置される中指と人差し指とを近接させて配置することができる。これにより、左右風向板ユニット３２０の取り外し動作を行う場合などに、中指と人差し指により力を入れやすくなる。そのため、左右風向板ユニット３２０の着脱時の作業性がより向上する。
【００８９】
また、中指と人差し指とを近接させて配置することで、中指と人差し指の間に位置する縦ルーバ３２２ｂも同時に把持することができる。これにより、左右風向板ユニット３２０の着脱時に、各縦ルーバ３２２が左右に動くことを抑えることができる。
【００９０】
なお、第１の実施形態と同様に、ベース部材３２１の上面上には、滑り止め用の凸部３２７が形成されていてもよい。凸部３２７は、左右風向板ユニット３２０の着脱時における把持位置、すなわち、第１屈曲部３３２ａおよび第２屈曲部３３２ｂと対向する位置に形成するのがよい。
【００９１】
〔第５の実施形態〕
本発明の第５の実施形態について、図１３を参照しながら説明する。図１３には、第５の実施形態にかかる左右風向板ユニット４２０の構成を示す。第５の実施形態にかかる室内機１においては、左右風向板ユニット４２０の構成のみが第１の実施形態とは異なっている。それ以外の構成については、第１の実施形態と同様の構成が適用できる。
【００９２】
第１の実施形態と同様に、左右風向板ユニット４２０は、室内機１の風向板取付機構１８に対して、取り外し可能に取り付けられている。左右風向板ユニット４２０は、主な構成部材として、ベース部材４２１、縦ルーバ（板状部材）４２２、連結桿（連結部材）４２３などを有している。ベース部材４２１は、第１の実施形態のベース部材２１と同様の構成を適用できる。
【００９３】
連結桿４２３は、ベース部材４２１の長手方向（室内機１の左右方向）に沿って延びる棒状の部材である。連結桿４２３は、各縦ルーバ４２２（図１３では、４２２ａ，４２２ｂ，４２２ｃ）を、所定の間隔を有した状態で連結している。具体的には、連結桿４２３は、縦ルーバ４２２の前方側に位置する連結部４２４において、各縦ルーバ４２２と連結されている。これにより、連結桿４２３の動作に連動させて各縦ルーバ４２２を動作させることができる。
【００９４】
本実施形態では、ベース部材４２１上に左右方向に並んで配置されている複数の縦ルーバ４２２のうち、両側の端部に配置されている縦ルーバ４２２ａと、その２つ隣に配置されている縦ルーバ４２２ｃとの間に位置する連結桿４２３の部分に屈曲部４３２（迂回部）が形成されている。
【００９５】
第１の実施形態では、屈曲部３２は、棒状に延伸する連結桿２３が、ベース部材２１から離れる方向へ迂回するような形状を有している。これに対して、第５の実施形態では、屈曲部４３２は、棒状に延伸する連結桿４２３が、室内機１の後方側へ迂回するような形状を有している。
【００９６】
また、第２の実施形態では、隣り合う２つの縦ルーバ１２２ａおよび１２２ｂの間に、屈曲部１３２が一つ形成されている。これに対して、第５の実施形態では、縦ルーバ４２２ａから縦ルーバ４２２ｃの間に、一つの屈曲部４３２が、形成されている。すなわち、屈曲部４３２は、縦ルーバ４２２ａと縦ルーバ４２２ｃとの間に位置する縦ルーバ４２２ｂを跨いで存在する。
【００９７】
そのため、屈曲部４３２内に位置する縦ルーバ４２２ｂは、他の縦ルーバ４２２（例えば、４２２ａ、４２２ｃなど）よりも、小さな形状となっている。すなわち、縦ルーバ４２２ｂは、他の縦ルーバ４２２と比較して、前後方向の長さが短くなっており、ベース部材４２１の前後方向における略中央位置に前端部が位置している。そのため、縦ルーバ４２２ｂの連結部４２４ａは、他の連結部４２４よりも後方側に位置する。
【００９８】
この構成によれば、作業者が左右風向板ユニット４２０を取り付けたり取り外したりするときに、ベース部材４２１上の屈曲部４３２の前側に指を置くことができる。そのため、左右風向板ユニット４２０の着脱時に連結桿４２３が作業の邪魔になることを抑え、作業性を向上させることができる。
【００９９】
なお、屈曲部４３２の左右方向の幅は、第２の実施形態の屈曲部１３２と比較して広いため、一つの屈曲部４３２に複数の指（例えば、人差し指および中指）を載置することができる。
【０１００】
また、図１３に示すように、本実施形態では、ベース部材４２１の下側にロック状態を解除するための操作部４３１が配置されており、ベース部材４２１の上面には、操作部４３１と対応する位置に屈曲部４３２が設けられている。これにより、例えば、親指で操作部４３１を操作しつつ、屈曲部４３２に人差し指および中指を載置して、ベース部材４２１を手前に引き出すという動作をより容易に行うことができる。したがって、左右風向板ユニット４２０の着脱時の作業性をより向上させることができる。
【０１０１】
なお、図１３では、操作部４３１は、ベース部材４２１を間に挟んで縦ルーバ４２２ａと対応する位置に配置されている。しかし、操作部４３１の配置位置は、適宜変更可能である。例えば、他の態様では、屈曲部４３２の左右方向の略中央部と対応する位置（すなわち、縦ルーバ４２２ｂの下方）付近に、操作部４３１を配置することもできる。これにより、操作部４３１をより操作しやすくなる。
【０１０２】
なお、第１の実施形態と同様に、ベース部材４２１の上面上には、滑り止め用の凸部が形成されていてもよい。凸部は、左右風向板ユニット４２０の着脱時における把持位置、すなわち、屈曲部４３２と対向する位置に形成するのがよい。
【０１０３】
〔第６の実施形態〕
本発明の第６の実施形態について、図１４を参照しながら説明する。図１４には、第６の実施形態にかかる左右風向板ユニット５２０の構成を示す。第６の実施形態にかかる室内機１においては、左右風向板ユニット５２０の構成のみが第１の実施形態とは異なっている。それ以外の構成については、第１の実施形態と同様の構成が適用できる。また、左右風向板ユニット５２０の構成は、第５の実施形態の左右風向板ユニット４２０の構成と類似している。そこで、以下では、第５の実施形態と異なる点を中心に説明する。
【０１０４】
第１の実施形態と同様に、左右風向板ユニット５２０は、室内機１の風向板取付機構１８に対して、取り外し可能に取り付けられている。左右風向板ユニット５２０は、主な構成部材として、ベース部材５２１、縦ルーバ（板状部材）５２２、連結桿（連結部材）５２３などを有している。ベース部材５２１は、第１の実施形態のベース部材２１と同様の構成を適用できる。
【０１０５】
連結桿５２３は、ベース部材５２１の長手方向（室内機１の左右方向）に沿って延びる棒状の部材である。連結桿５２３は、各縦ルーバ５２２（図１４では、５２２ａ，５２２ｂ，５２２ｃ）を、所定の間隔を有した状態で連結している。第５の実施形態と同様に、連結桿５２３は、縦ルーバ５２２の前方側に位置する連結部５２４において、各縦ルーバ５２２と連結されている。
【０１０６】
第５の実施形態と同様に、ベース部材５２１上に左右方向に並んで配置されている複数の縦ルーバ５２２のうち、両側の端部に配置されている縦ルーバ５２２ａと、その２つ隣に配置されている縦ルーバ５２２ｃとの間に位置する連結桿５２３の部分に屈曲部５３２（迂回部）が形成されている。すなわち、屈曲部５３２は、縦ルーバ５２２ａと縦ルーバ５２２ｃとの間に位置する縦ルーバ５２２ｂを跨いで存在する。
【０１０７】
なお、第５の実施形態では、屈曲部４３２は、棒状に延伸する連結桿４２３が、室内機１の後方側へ迂回するような形状を有している。これに対して、第６の実施形態では、屈曲部５３２は、棒状に延伸する連結桿５２３が、ベース部材５２１から離れる方向へ（すなわち、上方へ）迂回するような形状を有している。
【０１０８】
そのため、屈曲部５３２内に位置する縦ルーバ５２２ｂは、他の縦ルーバ５２２（例えば、５２２ａ、５２２ｃなど）よりも、やや小さな形状となっている。すなわち、縦ルーバ５２２ｂの前端部の上下方向の幅は、他の縦ルーバ５２２よりも短くなっている。そのため、縦ルーバ５２２ｂの連結部５２４ａは、他の連結部５２４よりも上方側に位置する。
【０１０９】
この構成によれば、作業者が左右風向板ユニット５２０を取り付けたり取り外したりするときに、屈曲部５３２とベース部材５２１との間に指を置くことができる。そのため、左右風向板ユニット５２０の着脱時に連結桿５２３が作業の邪魔になることを抑え、作業性を向上させることができる。
【０１１０】
また、図１４に示すように、本実施形態では、ベース部材５２１の下側にロック状態を解除するための操作部５３１が配置されており、ベース部材５２１の上面には、操作部５３１と対応する位置に屈曲部５３２が設けられている。
【０１１１】
なお、第５の実施形態と同様に、操作部５３１の配置位置は、適宜変更可能である。例えば、他の態様では、屈曲部５３２の左右方向の略中央部と対応する位置（すなわち、縦ルーバ５２２ｂの下方）付近に、操作部５３１を配置することもできる。これにより、操作部５３１をより操作しやすくなる。
【０１１２】
〔第７の実施形態〕
本発明の第７の実施形態について、図１５を参照しながら説明する。図１５には、第７の実施形態にかかる左右風向板ユニット６２０の構成を示す。第７の実施形態にかかる室内機１においては、左右風向板ユニット６２０の構成のみが第１の実施形態とは異なっている。それ以外の構成については、第１の実施形態と同様の構成が適用できる。
【０１１３】
第１の実施形態と同様に、左右風向板ユニット６２０は、室内機１の風向板取付機構１８に対して、取り外し可能に取り付けられている。左右風向板ユニット６２０は、主な構成部材として、ベース部材２１、縦ルーバ（板状部材）２２、連結桿（連結部材）２３などを有している。ベース部材２１、縦ルーバ２２、連結桿２３は、第１の実施形態と同様の構成を適用できる。そのため、詳しい説明について省略する。
【０１１４】
なお、ベース部材２１の下面に設けられた接続部２６には、風向板取付機構１８との接続機構（ロック機構）を解除するための押圧ボタン（操作部）６３１が設けられている。押圧ボタン６３１は、左右両側に１つずつ設けられている。
【０１１５】
第１の実施形態では、作業者は、操作部３１を内側（図６に示す矢印Ｃ方向）に動作させることで、左右風向板ユニット２０と風向板取付機構１８とのロック機構を解除している。これに対して、本実施形態では、作業者は、押圧ボタン６３１を上方へ（図１５に示す矢印Ｃ方向）押すことで、左右風向板ユニット６２０と風向板取付機構１８とのロック機構を解除している。
【０１１６】
本実施形態の構成によれば、作業者が左右風向板ユニット６２０を取り付けたり取り外したりするときに、屈曲部３２とベース部材２１との間に指を置くことができる。そのため、左右風向板ユニット６２０の着脱時に連結桿２３が作業の邪魔になることを抑え、作業性を向上させることができる。
【０１１７】
また、本実施形態では、ベース部材２１の下側にロック状態を解除するための押圧ボタン６３１が配置されており、ベース部材２１の上面には、押圧ボタン６３１と対応する位置（すなわち、上面視で押圧ボタン６３１と重なる位置）に屈曲部３２が設けられている。これにより、例えば、親指で押圧ボタン６３１を押しつつ、屈曲部３２の下に人差し指または中指などを載置して、ベース部材２１を手前に引き出すという動作をより容易に行うことができる。したがって、左右風向板ユニット６２０の着脱時の作業性をより向上させることができる。
【０１１８】
（まとめ）
本発明の一局面にかかる空気調和機は、本体部内に配置された送風経路と、前記送風経路内に着脱可能に取り付けられ、前記送風経路内を通過する風の向きを左右方向に変化させる左右風向板ユニットとを備えている。前記左右風向板ユニットは、複数の板状部材と、前記複数の板状部材を支持し、前記本体部に対して着脱可能に取り付けられているベース部材と、前記ベース部材の長手方向に沿って延伸し、前記複数の板状部材を、間隔を有した状態で連結している連結部材とを有している。そして、前記連結部材には、前記左右風向板ユニットの着脱時における前記ベース部材の把持位置に対応する位置に、前記ベース部材から離れる方向への迂回部、あるいは、前記本体部の後方側への迂回部の少なくとも何れかが形成されている。
【０１１９】
上述の本発明の一局面にかかる空気調和機において、前記ベース部材には、前記本体部との接続状態を解除するための操作部が設けられており、前記ベース部材の把持位置は、前記操作部の近傍に位置していてもよい。
【０１２０】
上述の本発明の一局面にかかる空気調和機において、前記ベース部材の把持位置には、滑り止めが形成されていてもよい。滑り止めは、例えば、凸部２７などで構成される（図２など参照）。なお、凸部の形状は、左右方向に延びる線状の形状に限らず、波線形状や丸みを帯びた突起状であってもよい。また、滑り止めは、凸部以外の形状（例えば、凹部状など）で実現することもできる。
【０１２１】
上述の本発明の一局面にかかる空気調和機において、前記ベース部材の一つの把持位置に対して、前記連結部材の前記迂回部は複数設けられており、各迂回部は、前記板状部材を間に挟んで配置されていてもよい。
【０１２２】
上述の本発明の一局面にかかる空気調和機において、前記板状部材を間に挟んで配置された二つの前記迂回部は、間に挟まれた前記板状部材に近寄って配置されていてもよい。
【０１２３】
上述の本発明の一局面にかかる空気調和機において、一つの前記迂回部が、少なくとも一つの前記板状部材を跨いで存在してもよい。
【０１２４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【０１２５】
１        ：（空気調和機の）室内機（本体部）
１５      ：フラップ
１６      ：吹き出し口
１８      ：風向板取付機構
２０      ：左右風向板ユニット
２１      ：ベース部材
２２      ：縦ルーバ（板状部材）
２３      ：連結桿（連結部材）
２７      ：凸部（滑り止め）
３１      ：操作部
３２      ：屈曲部（迂回部）
４１      ：上下風向板
１２０    ：左右風向板ユニット
１３２    ：屈曲部（迂回部）
２２０    ：左右風向板ユニット
２３２ａ  ：屈曲部（迂回部）
２３２ｂ  ：屈曲部（迂回部）
３２０    ：左右風向板ユニット
３３２ａ  ：屈曲部（迂回部）
３３２ｂ  ：屈曲部（迂回部）
４２０    ：左右風向板ユニット
４３２    ：屈曲部（迂回部）
５２０    ：左右風向板ユニット
５３２    ：屈曲部（迂回部）
６２０    ：左右風向板ユニット
６３１    ：押圧ボタン（操作部）
【図１】
2018179394.tif 000003
【図２】
2018179394.tif 000004
【図３】
2018179394.tif 000005
【図４】
2018179394.tif 000006
【図５】
2018179394.tif 000007
【図６】
2018179394.tif 000008
【図７】
2018179394.tif 000009
【図８】
2018179394.tif 000010
【図９】
2018179394.tif 000011
【図１０】
2018179394.tif 000012
【図１１】
2018179394.tif 000013
【図１２】
2018179394.tif 000014
【図１３】
2018179394.tif 000015
【図１４】
2018179394.tif 000016
【図１５】
2018179394.tif 000017